(57)【要約】【課題】キッチンシンク下部の収納空間に設置しても、キッチンシンク下部の収納空間を減少することがなく、浄水器用フィルタカートリッジの交換がしやすく、浄水器用フィルタカートリッジの交換に手間がかからない浄水器用ホルダを提供する。【解決手段】フィルタカートリッジ２を把持する把持部材３０１と壁面に固定するための取付部材３０２を備え、前記把持部材３０１は、前記フィルタカートリッジ２を挿入する開口部３１２と前記取付部材３０２に係合させる２つ以上の係止部を有し、前記取付部材３０２には、前記把持部材３０１を反転させて係合可能な２つ以上で前記把持部材３０１の２つ以上の係止部と同数の被係止部を有し、前記把持部材３０１の反転により、前記壁面に対する前記開口部３１２の開口方向角度が変更可能であることを特徴とする浄水器用ホルダ。【選択図】図１
2018130669.tif 000002
【特許請求の範囲】
【請求項１】
略円柱形のフィルタカートリッジを把持する浄水器用ホルダであって、前記フィルタカートリッジをその円筒円柱の中心軸に対して垂直な方向から把持する把持部材および壁面に固定される取付部材で構成され、
前記把持部材は、前記フィルタカートリッジが挿入される開口部、ならびに前記取付部材に係合される第１の係止部および第２の係止部を有し、
前記取付部材は、前記把持部材を係合する第１の被係止部および第２の被係止部を有し、
前記把持部材が前記フィルタカートリッジを把持している状態における、フィルタカートリッジの円柱の中心軸が向く方向を中心軸方向としたとき、前記第１の係止部、第２の係止部、第１の被係止部および第２の被係止部は、
前記把持部材が前記取付部材に対して第１の方向で係合されているときに、前記第１の係止部と前記第１の被係止部とが係合し、前記第２の係止部と前記第２の被係止部とが係合し、
前記把持部材が前記取付部材に対して前記第１の方向とは前記中心軸方向を反転させた第２の方向で係合されているときに、前記第１の係止部と前記第２の被係止部とが係合し、前記第２の係止部と前記第１の被係止部とが係合し、
前記第１の係止部および第２の係止部は、前記第１の方向で係合されている状態における、前記把持部材の開口部への前記フィルタカートリッジの挿入方向と、前記第２の方向で係合されている状態における、前記把持部材の開口部への前記フィルタカートリッジの挿入方向とが異なるように、前記開口部に対して配置されている、浄水器用ホルダ。
【請求項２】
前記第１の方向で係合されている状態における、前記把持部材の開口部への前記フィルタカートリッジの挿入方向と、前記第２の方向で係合されている状態における、前記把持部材の開口部への前記フィルタカートリッジの挿入方向とのなす角度（鋭角）が、１０〜６０度の範囲である、請求項１の浄水器用ホルダ。
【請求項３】
前記第１の方向で係合されている状態における、前記把持部材の開口部への前記フィルタカートリッジの挿入方向が、前記壁面に対して垂直方向である、請求項１または２の浄水器用ホルダ。
【請求項４】
請求項１から３のいずれかの浄水器用ホルダを有する浄水器。
【発明の詳細な説明】
【技術分野】
【０００１】
本発明は、台所のシンク下部に設置するアンダーシンク型浄水器を把持するホルダ、およびホルダを有する浄水器に関する。
【背景技術】
【０００２】
従来、水道水を浄化する浄水器としては、水道水栓の吐出口に直結する蛇口直結型浄水器、キッチンの上に置いて使用する据置型浄水器、キッチンの内部に置いて使用するアンダーシンク型（またはビルトイン型）浄水器などが知られている。いずれも浄水器用フィルタカートリッジに充填した濾材は処理できる総濾過水量が限られているため、使用者は、浄水器用フィルタカートリッジを定期的に交換しながら浄水器を継続使用する。
【０００３】
アンダーシンク型浄水器は、蛇口直結型浄水器や据置型浄水器に比べて大型であり、処理できる総濾過水量も大きいため長期間使用できる。キッチンの水栓やシンク近傍に浄水器を置かないので、作業の邪魔にならない。
【０００４】
アンダーシンク型浄水器としては、例えば特許文献１のように、原水入口と浄水出口を備え、ワンタッチジョイントを先端に取り付けたホースを接続して使用するものが知られている。使用者は、浄水器用カートリッジをシンク下の空間の底面に置き、原水供給用のホースと、浄水吐出用のホースを接続する。キッチンの水栓を操作すれば容易に浄水を得ることができる。
【０００５】
また、特許文献１のような浄水器用カートリッジをシンク下の空間の底面に置く配置は、キッチン下方の収納空間が減少するし、シンクの下方空間に引き出しを設けた近年主流のキッチンにおいては無理があるなどの問題から、特許文献２のように、キッチンシンクの天板下部の空間に、浄水器を吊り下げ設置することも提案されている。
【先行技術文献】
【特許文献】
【０００６】
【特許文献１】特開２００７−２７５８１４号公報
【特許文献２】特開２００６−１６９７８４号公報
【発明の概要】
【発明が解決しようとする課題】
【０００７】
しかしながら、特許文献２に記載の構成では、キッチンの天板部の下部に浄水器を固定しているので、浄水器用フィルタカートリッジの交換に際しては、キッチン下方の収納空間に潜り込んで行う必要があり、やりづらく手間がかかるという問題がある。
【０００８】
本発明は、上述のような問題点に鑑み、キッチンシンク下部の収納空間に設置しても、キッチンシンク下部の収納空間を減少することがなく、浄水器用フィルタカートリッジの交換がしやすく、浄水器用フィルタカートリッジの交換に手間がかからない浄水器用ホルダと、そのホルダを有する浄水器を提供することにある。
【課題を解決するための手段】
【０００９】
前記課題を解決するため、本発明の浄水器用ホルダは下記の構成から成る。すなわち、
略円柱形のフィルタカートリッジを把持する浄水器用ホルダであって、前記フィルタカートリッジをその円柱の中心軸に対して垂直な方向から把持する把持部材および壁面に固定される取付部材で構成され、
前記把持部材は、前記フィルタカートリッジが挿入される開口部、ならびに前記取付部材に係合される第１の係止部および第２の係止部を有し、
前記取付部材は、前記把持部材を係合する第１の被係止部および第２の被係止部を有し、
前記把持部材が前記フィルタカートリッジを把持している状態における、フィルタカートリッジの円柱の中心軸が向く方向を中心軸方向としたとき、前記第１の係止部、第２の係止部、第１の被係止部および第２の被係止部は、
前記把持部材が前記取付部材に対して第１の方向で係合されているときに、前記第１の係止部と前記第１の被係止部とが係合し、前記第２の係止部と前記第２の被係止部とが係合し、
前記把持部材が前記取付部材に対して前記第１の方向とは前記中心軸方向を反転させた第２の方向で係合されているときに、前記第１の係止部と前記第２の被係止部とが係合し、前記第２の係止部と前記第１の被係止部とが係合し、
前記第１の係止部および第２の係止部は、前記第１の方向で係合されている状態における、前記把持部材の開口部への前記フィルタカートリッジの挿入方向と、前記第２の方向で係合されている状態における、前記把持部材の開口部への前記フィルタカートリッジの挿入方向とが異なるように、前記開口部に対して配置されていることを特徴とするものである。
【００１０】
ここで、前記第１の方向で係合されている状態における、前記把持部材の開口部への前記フィルタカートリッジの挿入方向と、前記第２の方向で係合されている状態における、前記把持部材の開口部への前記フィルタカートリッジの挿入方向とのなす角度（鋭角）が、１０〜６０度の範囲であることが好ましい。
【００１１】
また、前記第１の方向で係合されている状態における、前記把持部材の開口部への前記フィルタカートリッジの挿入方向が、前記壁面に対して垂直方向であることが好ましい。
【００１２】
本発明の浄水器は、本発明の浄水器用ホルダを備えた浄水器である。
【発明の効果】
【００１３】
本発明によれば、浄水器用ホルダは、把持部材と前記取付部材の係止位置の選択により、把持部材の開口部の開口方向角度が、壁面に対して、２通りに変更可能であり、例えば、把持部材の側方に障害物があって側方向に浄水器用フィルタカートリッジを着脱できない場合であっても、把持部材の開口部の開口方向を変更することで、別の方向から浄水器用フィルタカートリッジを容易に着脱することができる。そのため、浄水器用ホルダ設置位置付近の障害物の有無を気にせず、キッチンシンク下部の限られた空間の左右壁面の上下や奥側壁に、浄水器用フィルタカートリッジを水平や垂直または希望角度で壁面に取り付けることができるので設置の自由度が高くなる。
【図面の簡単な説明】
【００１４】
【図１】本発明の浄水器用ホルダを使用し、浄水器を垂直方向に取り付けた形態の一例を示す斜視図である。
【図２】図１における浄水器用ホルダの取り付け形態を示す斜視図である。
【図３】本発明の浄水器用ホルダに取り付ける浄水器の一例を示す斜視図である。
【図４】本発明の浄水器用ホルダを使用し、浄水器を水平方向に取り付けた形態の一例を示す斜視図である。
【図５】図４における浄水器用ホルダの取り付け形態を示す側面図である。
【図６】本発明の浄水器用ホルダに取り付けるフィルタカートリッジの一例を示す正面図である。
【図７】本発明の浄水器用ホルダの組み立て方法の一例を示す斜視図である。
【発明を実施するための形態】
【００１５】
本発明における浄水器用ホルダの一実施形態を図面に基づいて説明する。  
図１に示すように、キッチンのシンク下の空間の奥壁（図示せず）などに、例えば浄水器１のフィルタカートリッジ２が、その円柱の中心軸に対して垂直な方向から把持部材３０１に把持され、浄水器用ホルダ３００に取り付けられて設置されている。浄水器用ホルダ３００は、開口部３１２を持つ２つの把持部材３０１と壁面に固定する取付部材３０２とで構成されていて、上下２本の把持部材３０１（第１把持部３０５、第２把持部３０６）で円柱状のフィルタカートリッジ２の外側を保持している。
【００１６】
図２は、図１のように浄水器１を垂直取り付けした時の、浄水器用ホルダ３００を示す斜視図である。把持部材３０１は、略Ｃ字形状をなし、把持部材３０１の内径ｄｈが、図６に示すフィルターカートリッジ２の外径ｄｆに対して、０．９ｄf以上１ｄｆ以下が好ましい。内径ｄｈが０．９ｄｆ以上であれば、フィルタカートリッジ２を取り外す際に適度な力で取り外せる。内径ｄｈが１ｄｆ以下であればフィルタカートリッジ２の脱落を防ぐことができる。
【００１７】
また把持部材３０１の開口部３１２の両先端の間隔は、円柱状のフィルタカートリッジ２の直径より小さい寸法となっており、開口部３１２の開口部先端３１９は、挿入性を高めるため、先開きの誘い込み形状となっており、フィルタカートリッジ２挿入後の確実な装着感を確保している。開口部先端３１９の開口部距離ｄｐが、図６に示すフィルタカートリッジ２の外径ｄｆに対して、０．７ｄｆ以上０．９ｄｆ以下が好ましい。開口部距離ｄｐが０．７以上であれば、フィルタカートリッジ２を取り外す際に適度な力で取り外せる。開口部距離ｄｐが０．９ｄｆ以下であれば、フィルタカートリッジ２の脱落を防ぐことができる。また、開口部先端３１９には、補強リブ３１８が設けられており、フィルタカートリッジ２が、開口部先端３１９に接触し力が加わった場合、開口部先端３１９の変形や折れを防ぐことができる。また、補強リブ３１８は、略Ｃ字形状の把持部材３０１がフィルタカートリッジ２を強固に把持する強度向上用補強リブとしても効果を上げている。
【００１８】
本実施例では、把持部材３０１と取付部材３０２の係止部はそれぞれ２箇所あり、まず把持部材３０１には、開口部３１２の開口方向と同じ第１の中心軸３１４上に配置される位置にあり、取付部材３０２に向かって、凸形状をなし、その先端に一対の略Ｌ字形状をした取付部材との第１の係止部３１３が設けられている。また取付部材３０２には、この第１の係止部３１３と嵌め合う切欠き溝状の第１の被係止部３２２が設けられている。さらに把持部材３０１には、第１の係止部３１３と同じ形状で、開口部３１２の開口方向と異なる第２の中心軸３１７上に配置された第２の係止部３１６が設けられている。また、同様に取付部材３０２には、この第２の係止部３１６材と嵌め合う切欠き溝状の第２の被係止部３２３が設けられている。
【００１９】
上側にある第１把持部３０５は、一対の略Ｌ字形状をした第１の係止部３１３および第２の係止部３１６がそれぞれ、取付部材３０２の上方より、取付部材３０２にある切欠き溝状の第１の被係止部３２２および第２の被係止部３２３に嵌め合わされて、取付部材３０２に係合されている。下側にある第２把持部３０６も同様にして、一対の略Ｌ字形状をした２箇所の係止部が、取付部材３０２の下方より、取付部材３０２にある２箇所の切欠き溝状の被係止部に嵌め合わされて、取付部材３０２に係合されている。取付部材３０２は、２本のビス３０４で壁面に締め付け固定されている。このように把持部材３０１と取付部材３０２とは２箇所の係止部で係合されることにより、この２部品はぐらつくことなく安定的に固定され、通常時にはフィルタカートリッジ２を強固に保持でき、またフィルタカートリッジ２交換時には容易に脱着を行うことができる。なお、把持部材３０１と取付部材３０２の固定は、ネジ締結や爪嵌合でも手段は問わない。
【００２０】
円柱状のフィルタカートリッジ２は、２つの把持部材３０１の開口部３１２より挿入され、しっかりとお互いの形状同士が合い、把持部材の弾性力によりゆるみなく確実に把持することができる。また、図４に示す第１把持部３０５と第２把持部３０６との外側端同士の距離Ｄは、図６に示すフィルタカートリッジ２の全長Ｌｆに対して、０．３５Ｌｆ以上０．９Ｌｆ以下が望ましい。距離Ｄが０．３５Ｌｆ以上であると全長が長いフィルタカートリッジであっても安定的に把持できる距離Ｄが０．９Ｌｆ以下であれば、フィルタカートリッジがその長手方向に移動にした場合であってもフィルタカートリッジ２の脱落を防ぐことができる。なお、把持部材３０１のフィルタカートリッジを把持している部分の幅が十分に広ければ、取付部材３０２に把持部材３０１を１つだけ係合し、１つの把持部材３０１だけでフィルタカートリッジ２を把持する形態でもよい。
【００２１】
図１，２の実施形態では、把持部材３０１の開口部へのフィルタカートリッジ２の挿入方向が壁面に対して垂直方向であるので、キッチンシンク下部の限られた空間の奥側壁に取り付けられていても、手を真っ直ぐに挿し入れて、フィルタカートリッジ２を容易に着脱することができる。
【００２２】
把持部材３０１や取付部材３０２の材質は、ＡＢＳ樹脂、ポリカーボネート、ポリスチレン、ポリプロピレンなどの樹脂や、ステンレス、黄銅、青銅などの金属が使用できる。これらの中でも、外観の良いＡＢＳ樹脂やポリプロピレンを射出成形で製造するのが、外観および製造コストに関してメリットがあり、フィルタカートリッジ２の脱着が容易になるメリットがある。
【００２３】
図３は、浄水器用ホルダに取り付ける浄水器の一例を示す斜視図である。この浄水器１は、濾材を収納したフィルタカートリッジ２と、フィルタ本体８２の下端開口を閉塞する底蓋２０１、原水導入管７と浄水導出管８とを備え、フィルタカートリッジ２が着脱可能な浄水器用フィルタヘッド３から構成されている。浄水器用フィルタヘッド３の原水導入管７と、浄水導出管８は、キッチンの浄水器用水栓（図示せず）に接続されている。浄水器用水栓のレバーを回すなどして開栓すると、浄水器用水栓に内蔵された弁機構から原水導入管７に水道水が供給されるようになっている。浄水器１で浄化された浄水が浄水導出管８から浄水器用水栓に戻り、弁機構を通過せずに浄水器用水栓の吐出口からそのまま吐出される。すなわち浄水器用水栓に内蔵された弁機構より下流側に浄水器１が設けられ、止水時には浄水器１に水圧がかからないようになっている。いわゆるII形の浄水器である。しかしながら本発明の浄水器１はII形に限定されない。止水時に浄水器１に水圧がかかる、いわゆるI形の浄水器として使用してもよい。
【００２４】
図４は、キッチンのシンク下の収納空間の右上角部（図示せず）に設置した一例の斜視図である。浄水器用ホルダ３００の左右を反転させることにより、キッチンシンク下の収納空間の左上角部（図示せず）にも設置することができる。図１のフィルタカートリッジ２の垂直設置に対して、フィルタカートリッジ２が水平に設置されている。把持部材３０１の開口部３１２へのフィルタカートリッジ２の挿入方向と、壁面に対して垂直な方向とのなす角度（鋭角）は１０度以上９０度以下であることが好ましい。角度が１０度以上であれば、例えば把持部材３０１の正面方向に障害物がある場合や、キッチンのシンク下の収納空間の右上角部または左上角部が狭い場合など横方向にフィルタカートリッジ２を着脱できない場合であっても、キッチンのシンクを避けた斜め方向からフィルタカートリッジ２を交換することができる。また、フィルタカートリッジ２の挿入方向は、壁面に沿った方向が最も角度が大きくなる方向となるので、自ずと角度は９０度以下となる。また、フィルタカートリッジ２の重さが下方向にかかるため、垂直取り付けの場合と比べて小さい力で取り外すことができる。また、フィルタカートリッジ２の取外力Ｆは、満水時のフィルタカートリッジの重量Ｍキログラムに対して、０．５Ｍキログラム重以上２．０Ｍキログラム重以下であることが好ましい。取外力Ｆが０．５Ｍキログラム重以上であれば、フィルタカートリッジ２の脱落を防ぐことができる。取外力Ｆが２．０Ｍキログラム重以下であると、フィルタカートリッジ２を取り外す際に適度な力で取り外すことができる。
図４の形態では、把持部材３０１は、開口部３１２へのフィルタカートリッジ２の挿入方向が、壁面に垂直な方向に対して下向き４５度になるように取付部材３０２に取り付けられている。
【００２５】
図５は、把持部材３０１を、開口部３１２へのフィルタカートリッジ２の挿入方向が、壁面に垂直な方向対して下向き４５度となるように取り付けた場合の側面図である。以下、把持部材３０１がフィルタカートリッジ２を把持している状態における、フィルタカートリッジ２の円柱の中心軸が向く方向を中心軸方向、図１、２の実施形態における、取付部材３０２に対して把持部材３０１が係合されている方向を第１の方向として説明をする。  把持部材３０１は、取付部材３０２に対して第１の方向とは中心軸方向を反転させた第２の方向で係合されて取り付けられている。把持部材３０１の第１の係止部３１３は斜め上方に向いて、取付部材３０２の第２の被係止部３２３に係合し、第２の係止部３１６は水平に向いて、壁面に対して垂直に取り付くように取付部材３０２の第１の被係止部３２２に係合している。第１の係止部３１３は開口部３１２の開口方向と同じ第１の中心軸３１４上に配置されているので、この係合の仕方により、把持部材３０１の開口部３１２の開口方向を斜め下向きにすることができる。このようにして、取付部材３０２に対して把持部材３０１の係合方向を反転させるだけで、第１の中心軸３１４と第２の中心軸３１７の角度差の分だけ、壁面に対する把持部材３０１の開口部３１２の開口方向の角度を変更できる。つまり、浄水器用ホルダ３００は取付箇所により、壁に対する把持部材３０１の開口部３１２の開口方向角度を２通りに変更することができ、その結果、フィルタカートリッジ２を容易に交換できる。
【００２６】
なお、当然のことながら、把持部材３０１の第１の係止部３１３、第２の係止部３１６、および取付部材３０２の第１の被係止部３２２、第２の被係止部３２３は、取付部材３０２に対して把持部材３０１が第１の方向で係合しているときは、第１の係止部３１３と第１の被係止部３２２とが係合でき、第２の係止部３１６と第２の被係止部３２３とが係合でき、取付部材３０２に対して把持部材３０１が第２の方向で係合しているときは、第１の係止部３１３と第２の被係止部３２３とが係合でき、第２の係止部３１６と第１の被係止部３２２とが係合できるような形状となっている。また、第１の係止部３１３、第２の係止部３１６が切欠き溝状で、第１の被係止部３２２、第２の被係止部３２３が凸形状であってもよい。
【００２７】
なお、把持部材３０１と取付部材３０２とが２箇所の係止部で係合されていれば、この２部品は安定的に固定されるが、さらに安定度を増すために、第１の係止部と第２の係止部との間に別の係止部を、第１の被係止部と第２の被係止部との間に別の被係止部を設けて、それらを係合できるようにしてもよい。
【００２８】
図７は、取付部材３０２に把持部材３０１を組み立てる方法の一例を示す斜視図である。図７に示すように、取付部材３０２の長手方向外側から把持部材３０１を取り付ける。その際、把持部材３０１の補強リブ３１５が取付部材３０２の取付リブ３２４を乗り越えるようになっている。これにより、把持部材３０１が取付部材３０２に到達した感触を得てから、確実に取り付けることができ、把持部材３０１が取付部材３０２から容易に抜け落ちることがない。
【００２９】
また、シンク下の空間でのフィルタカートリッジの交換作業をより作業性良く行うために、第１の方向で係合されている状態における、把持部材３０１の開口部３１２へのフィルタカートリッジ２の挿入方向と、第２の方向で係合されている状態における、把持部材３０１の開口部３１２へのフィルタカートリッジ２の挿入方向とのなす角度（鋭角）は１０度以上９０度以下が好ましい。角度が１０度以上であれば、フィルタカートリッジ２の挿入方向を十分に変えられるので、例えば、第１の方向で係合されている状態において、キッチンシンク下部の収納空間内の障害物によりフィルタカートリッジを挿入できない場合であっても、第２の方向で係合することで、障害物を避けてフィルタカートリッジ２を挿入することができる。また、フィルタカートリッジ２の挿入方向をキッチンシンク下の壁面に対して垂直とすることが多いので、例えば、第１の方向で係合されている状態において、フィルタカートリッジ２の挿入方向を壁面に対して垂直とした場合、自ずと第２の方向で係合されている状態におけるフィルタカートリッジ２の挿入方向は、壁面に沿った方向が最も角度が大きくなる方向となるので、角度は９０度以下が好ましい。キッチンシンク下部の収納部の下方向には収納物が置かれていることが多いので、角度は６０度以下がより好ましい。
【００３０】
また、把持部材は径方向に突出させた複数の補強リブ３１５を有する。２箇所の凸形状の外側にある取付部材に当てる補強リブ３１５は、略Ｃ字形状の把持部材３０１がフィルタカートリッジ２を強固に把持するため、把持部材根元部の強度向上用補強リブとしても効果を上げている。
【００３１】
さらに、取付部材に２箇所等の開口穴を設け、結束バンドや面ファスナーや結束用ひもなどを前記開口穴に通して、フィルタカートリッジに巻きつけて縛れば、より確実にフィルタカートリッジを保持固定することができる。
【００３２】
浄水器用ホルダの取付部材を、シンク下の空間の壁に固定する手段は、ビス締付でも強力両面テープでも手段は問わない。
【００３３】
最後に、浄水器１のフィルタカートリッジ２の交換方法の一例について説明する。
本発明における浄水器のフィルタカートリッジ着脱時、フィルタカートリッジ２を反時計回りに９０度回すと、バヨネット機構によりフィルタカートリッジ２が浄水器用フィルタヘッド３から容易に外れる。
【００３４】
次に未使用のフィルタカートリッジ２を浄水器用フィルタヘッド３に取り付ける。未使用のフィルタカートリッジ２の先端を浄水器用フィルタヘッド３に挿入すると、浄水器用フィルタヘッド３の中心軸にフィルタカートリッジ２の中心軸が自ずと合うようになっている。浄水器用フィルタヘッド３に到達した感触を得てから、未使用のフィルタカートリッジ２を時計回りに９０度回すと、未使用のフィルタカートリッジ２を浄水器用フィルタヘッド３に確実に取り付けることができる。
【産業上の利用可能性】
【００３５】
本発明は、水道水を浄化する浄水器をキッチンのシンク下の空間などに設置するホルダに関し、さらに詳しくは、アンダーシンク型浄水器用ホルダに関するものであるが、壁掛型浄水器、スタンド型浄水器など浄水器全般に応用できる。アンダーシンク型浄水器に限定されるものではない。
【符号の説明】
【００３６】
１  浄水器
２  フィルタカートリッジ
３  浄水器用フィルタヘッド
７  原水導入管
８  浄水導出管
３００  浄水器用ホルダ
３０１  把持部材
３０２  取付部材
３０４  ビス
３０５  第１把持部
３０６  第２把持部
３１２  開口部
３１３  第１の係止部
３１４  第１の中心軸
３１５  補強リブ
３１６  第２の係止部
３１７  第２の中心軸
３１８  補強リブ
３１９  開口部先端
３２２  第１の被係止部
３２３  第２の被係止部
３２４  取付リブ
【図１】
2018130669.tif 000003
【図２】
2018130669.tif 000004
【図３】
2018130669.tif 000005
【図４】
2018130669.tif 000006
【図５】
2018130669.tif 000007
【図６】
2018130669.tif 000008
【図７】
2018130669.tif 000009